【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示手段と、該可変表示手段とは別に設けられ、複数種類の飾り識別情報を可変表示可能な飾り可変表示手段とを有し、前記可変表示手段の表示結果が予め定められた特定の表示結果になったときに大当り状態が発生するとともに、前記飾り可変表示手段の表示結果が予め定められた特別の表示結果になったときに、前記大当り状態が発生するとともに該大当り状態の終了後前記可変表示手段の表示結果が前記特定の表示結果になりやすい特別遊技状態が発生する遊技機であって、
前記大当り状態を発生させるか否かを決定するための数値を更新する大当り決定用カウンタと、
前記特別遊技状態を発生させるか否かを決定するための数値を更新する特別遊技状態決定用カウンタと、
複数種類の前記特別の表示結果の中からいずれかの前記特別の表示結果を設定するための数値を更新する特別表示結果設定用カウンタと、
前記大当り決定用カウンタからの抽出値が予め定められた大当り判定値のときに前記可変表示手段の表示結果を前記特定の表示結果にする可変表示結果決定手段と、
前記大当り決定用カウンタからの抽出値が予め定められた大当り判定値で、かつ、前記特別遊技状態決定用カウンタからの抽出値が予め定められた特別遊技状態判定値のときに、前記飾り可変表示手段の表示結果を前記特別表示結果設定用カウンタからの抽出値に対応した前記特別の表示結果にする飾り表示結果決定手段と、
前記可変表示手段および前記飾り可変表示手段を可変開始させた後、それぞれの表示結果を導出表示させ、前記大当り状態を発生させるか否かに関し、前記飾り可変表示手段における前記飾り識別情報の表示結果を前記可変表示手段における前記識別情報の表示結果に対応する表示結果にする制御を行なう可変表示制御手段と、
前記飾り可変表示手段にリーチ状態を表示する制御を行なうか否かを決定するための数値を更新するリーチ状態決定用カウンタと、
該リーチ状態決定用カウンタからの抽出値が予め定められたリーチ状態判定値であるときに、前記可変表示手段および前記飾り可変表示手段の可変表示中において、前記可変表示手段の可変表示中の表示態様にかかわらず、前記飾り可変表示手段にリーチ状態を表示させる制御を行なうリーチ表示制御手段とを備えることを特徴とする、遊技機。
【手続補正２】
【補正対象書類名】明細書
【補正対象項目名】０００８
【補正方法】変更
【補正の内容】
【０００８】
【課題を解決するための手段】
請求項１に記載の本発明は、複数種類の識別情報を可変表示可能な可変表示手段と、該可変表示手段とは別に設けられ、複数種類の飾り識別情報を可変表示可能な飾り可変表示手段（飾り図柄用可変表示装置４）とを有し、前記可変表示手段の表示結果が予め定められた特定の表示結果になったときに大当り状態が発生するとともに、前記飾り可変表示手段の表示結果が予め定められた特別の表示結果（２ライン以上のライン上またはオールフルーツでの大当りの図柄）になったときに、前記大当り状態が発生するとともに該大当り状態の終了後前記可変表示手段の表示結果が前記特定の表示結果になりやすい特別遊技状態（普通図柄の変動時間短縮制御を実行する。特別遊技状態は、大当り発生確率が向上する制御または大当りの判定回数が増加する制御等の結果的に特別図柄（飾り図柄も含まれる）の大当りが発生しやすくなる状態であればよい。）が発生する遊技機であって、
前記大当り状態を発生させるか否かを決定するための数値を更新する大当り決定用カウンタ（ＷＣ  ＲＮＤ１）と、
前記特別遊技状態を発生させるか否かを決定するための数値を更新する特別遊技状態決定用カウンタ（ＷＣ  ＲＮＤ  ＺＵＬ）と、
複数種類の前記特別の表示結果の中からいずれかの前記特別の表示結果を設定するための数値を更新する特別表示結果設定用カウンタ（ＷＣ  ＲＮＤ  ＫＺＵＳＥＴ普通図柄の変動時間短縮制御を行なうと判断された場合は、Ｓ６に進み、ＷＣ  ＲＮＤ  ＫＺＵＳＥＴ（０〜１２０）の値に基づいて、リーチ図柄（リーチ状態を構成する図柄）の配列を決定する処理がなされる。）と、
前記大当り決定用カウンタからの抽出値が予め定められた大当り判定値のときに前記可変表示手段の表示結果を前記特定の表示結果にする可変表示結果決定手段（図６６のＳ３）と、
前記大当り決定用カウンタからの抽出値が予め定められた大当り判定値（図６６のＳ３で７）で、かつ、前記特別遊技状態決定用カウンタからの抽出値が予め定められた特別遊技状態判定値（図６６のＳ５で３，７，１２）のときに、前記飾り可変表示手段の表示結果を前記特別表示結果設定用カウンタからの抽出値に対応した前記特別の表示結果にする飾り表示結果決定手段と（図６６のＳ３でＹＥＳ、Ｓ５で３，７，１２、Ｓ１０）、
前記可変表示手段および前記飾り可変表示手段を可変開始させた後、それぞれの表示結果を導出表示させ、前記大当り状態を発生させるか否かに関し、前記飾り可変表示手段における前記飾り識別情報の表示結果を前記可変表示手段における前記識別情報の表示結果に対応する表示結果にする制御を行なう可変表示制御手段（図６６のＳ３、Ｓ１０、Ｓ１７、図６７のＳ２３、Ｓ２８、図６９）と、
前記飾り可変表示手段にリーチ状態を表示する制御を行なうか否かを決定するための数値を更新するリーチ状態決定用カウンタ（ＷＣ  ＲＮＤ  ＲＥＡＣＨ）と、
該リーチ状態決定用カウンタからの抽出値が予め定められたリーチ状態判定値であるときに、前記可変表示手段および前記飾り可変表示手段の可変表示中において、前記可変表示手段の可変表示中の表示態様にかかわらず、前記飾り可変表示手段にリーチ状態を表示させる制御を行なうリーチ表示制御手段（図６６、６７のＳ７、Ｓ１２、Ｓ２０〜Ｓ２２、Ｓ２４）とを備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
【作用】
請求項１に記載の本発明によれば、前記大当り決定用カウンタからの抽出値が予め定められた大当り判定値のときに、可変表示結果決定手段の働きにより、前記可変表示手段の表示結果が前記特定の表示結果にされる。前記大当り決定用カウンタからの抽出値が予め定められた大当り判定値で、かつ、前記特別遊技状態決定用カウンタからの抽出値が予め定められた特別遊技状態判定値のときに、飾り表示結果決定手段の働きにより、前記飾り可変表示手段の表示結果が前記特別表示結果設定用カウンタからの抽出値に対応した前記特別の表示結果にされる。可変表示制御手段の働きにより、前記可変表示手段および前記飾り可変表示手段が可変開始された後、それぞれの表示結果が導出表示される。さらに、可変表示制御手段の働きにより、前記大当り状態を発生させるか否かに関し、前記飾り可変表示手段における前記飾り識別情報の表示結果を前記可変表示手段における前記識別情報の表示結果に対応する表示結果にする制御が行なわれる。リーチ状態決定用カウンタからの抽出値が予め定められたリーチ状態判定値であるときに、リーチ表示制御手段の働きにより、前記可変表示手段および前記飾り可変表示手段の可変表示中において、前記可変表示手段の可変表示中の表示態様にかかわらず、前記飾り可変表示手段にリーチ状態を表示させる制御が行なわれる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】０３６５
【補正方法】変更
【補正の内容】
【０３６５】
（１）  図７に示されるランダムカウンタＷＣ  ＲＮＤ  ＺＵＬにより、遊技機を特定遊技状態（大当り状態）とは異なる遊技者に有利な特別遊技状態（普通図柄の変動時間短縮制御の状態）に制御するか否かを決定する特別遊技状態決定手段が構成されている。図７に示されるＷＣ  ＲＮＤ  ＫＺＵＳＥＴにより、可変表示装置（飾り図柄用可変表示装置４）の表示態様を選択決定する表示態様決定手段が構成されている。表示態様決定手段は、特別遊技状態決定手段により特別遊技状態に制御することが決定された場合に、特別遊技状態が実行されることを示す表示態様（複数ライン上での大当りまたはオールフルーツによる大当り）を選択決定する。
【手続補正９】
【補正対象書類名】明細書
【補正対象項目名】０３６７
【補正方法】変更
【補正の内容】
【０３６７】
【課題を解決するための手段の具体例の効果】
請求項１に関しては、特別遊技状態に制御するか否かの決定においてその制御をする決定がなされた場合に、特別遊技状態が実行されることを示す飾り可変表示手段の特別の表示結果の表示態様が選択決定される。このため、特別遊技状態が実行されることを示す表示態様を多種類設定しておき、その中から表示態様を選択決定することが可能である。これにより、特別遊技状態が実行されることを示す表示結果を、遊技者が見飽きないような多様なものにすることができる。その結果として、遊技者の興趣を向上させることができる。さらに、前記可変表示手段および前記飾り可変表示手段の可変表示中において、前記可変表示手段の可変表示中の表示態様にかかわらず、前記飾り可変表示手段にリーチ状態を表示させる制御が行なわれる。すなわち、飾り識別情報によりリーチ状態を発生させる確率は、識別情報の可変表示態様とは無関係に、任意に設定することができる。このため、飾り識別情報のリーチ発生率を識別情報の可変表示態様とは無関係に向上させることが可能であるので、遊技者の興趣を向上させることができる。
【手続補正１０】
【補正対象書類名】明細書
【補正対象項目名】０３６８
【補正方法】削除
【補正の内容】
【手続補正１１】
【補正対象書類名】明細書
【補正対象項目名】０３６９
【補正方法】削除
【補正の内容】